(57)【要約】【課題】画像形成装置における記録紙の取り間違いを減らす。【解決手段】取り間違い判断手段１０は、出力指示を行ったユーザを示す出力ユーザ情報と記録紙を取り除くユーザを示す取り除きユーザ情報とが一致するか否かを判断し、一致しない場合には、登録ユーザリスト領域６３に予め記憶されているユーザ情報と所属グループ情報とを参照して、出力ユーザ情報の所属グループ情報と取り除きユーザ情報の所属グループ情報とが一致するか否かを判断する。出力ユーザ情報の所属グループ情報と取り除きユーザ情報の所属グループ情報とが一致しない場合には、取り除きユーザ情報を取り間違いユーザリスト領域６２に登録し、取り間違いが発生したことを警告する警告メッセージを表示手段１２に表示させる。また、出力指示を行ったユーザのユーザ端末２００に、取り除きユーザ情報を含む注意メッセージを通知する。【選択図】図３
2007168098.tif 000002
【特許請求の範囲】
【請求項１】
ユーザからの出力指示に基づいて、記録紙に対して画像形成を行う画像形成手段と、
前記画像形成が行われた記録紙を排紙するための排紙トレイと、
前記排紙トレイから前記記録紙を取り除くユーザの識別情報を取得する識別情報取得手段と、
前記取得された識別情報に基づいてユーザを識別するユーザ識別手段と、
前記出力指示を行ったユーザを示す出力ユーザ情報と前記ユーザ識別手段により識別されたユーザを示す取り除きユーザ情報とが一致するか否かを判断する判断手段と、
前記判断手段により前記出力ユーザ情報と前記取り除きユーザ情報とが一致しないと判断された場合に、取り間違いが発生したことを警告する警告手段と、
を備えたことを特徴とする画像形成装置。
【請求項２】
請求項１に記載の画像形成装置において、
前記判断手段により前記出力ユーザ情報と前記取り除きユーザ情報とが一致しないと判断された場合に、前記出力指示を行ったユーザの端末に、前記取り除きユーザ情報を通知する通知手段を備えたことを特徴とする画像形成装置。
【請求項３】
ユーザからの出力指示に基づいて、記録紙に対して画像形成を行う画像形成手段と、
前記画像形成が行われた記録紙を排紙するための排紙トレイと、
前記排紙トレイから前記記録紙を取り除くユーザの識別情報を取得する識別情報取得手段と、
前記取得された識別情報に基づいてユーザを識別するユーザ識別手段と、
予め複数のユーザ情報と所属グループ情報とが対応付けられて記憶されている記憶手段と、
前記出力指示を行ったユーザを示す出力ユーザ情報と前記ユーザ識別手段により識別されたユーザを示す取り除きユーザ情報とが一致するか否かを判断する第１判断手段と、
前記第１判断手段により前記出力ユーザ情報と前記取り除きユーザ情報とが一致しないと判断された場合に、前記記憶手段に記憶されているユーザ情報と所属グループ情報とを参照して、前記出力ユーザ情報に対応する所属グループ情報と前記取り除きユーザ情報に対応する所属グループ情報とが一致するか否かを判断する第２判断手段と、
前記第２判断手段により前記出力ユーザ情報に対応する所属グループ情報と前記取り除きユーザ情報に対応する所属グループ情報とが一致しないと判断された場合に、取り間違いが発生したことを警告する警告手段と、
を備えたことを特徴とする画像形成装置。
【請求項４】
請求項３に記載の画像形成装置において、
前記第２判断手段により前記出力ユーザ情報に対応する所属グループ情報と前記取り除きユーザ情報に対応する所属グループ情報とが一致しないと判断された場合に、前記出力指示を行ったユーザの端末に、前記取り除きユーザ情報を通知する通知手段を備えたことを特徴とする画像形成装置。
【請求項５】
請求項１〜４のいずれか一項に記載の画像形成装置において、
前記識別情報取得手段は、前記排紙トレイから前記記録紙を取り除くユーザの識別情報として、当該ユーザの指紋情報を取得し、
前記ユーザ識別手段は、前記取得された指紋情報に基づいてユーザを識別することを特徴とする画像形成装置。
【発明の詳細な説明】
【技術分野】
【０００１】
本発明は、複数のユーザが使用する画像形成装置に関する。
【背景技術】
【０００２】
一般に、プリンタ、複写機等の画像形成装置が広く使用されている。会社や学校等では、１台の画像形成装置を複数のユーザが使用する場合が多いため、あるユーザが出力した文書を取る際に、誤って他人の文書を取ってしまう場合がある。特に、機密文書を出力した場合には、セキュリティ面でも非常に問題がある。
【０００３】
出力用紙の取り間違いを防止するために、例えば、画像情報に基づいて出力枚数を算出し、出力枚数に応じて用紙を排出するトレイを変更する画像形成装置が提案されている（例えば、特許文献１参照）。
【特許文献１】特開平８−２６５８７号公報
【発明の開示】
【発明が解決しようとする課題】
【０００４】
しかし、上記従来技術のように、出力枚数に応じてトレイを変更した場合であっても、なお、取り間違いが発生するおそれがあった。
【０００５】
本発明は、画像形成装置における記録紙の取り間違いを減らすことを課題とする。
【課題を解決するための手段】
【０００６】
上記課題を解決するために、請求項１に記載の発明は、ユーザからの出力指示に基づいて、記録紙に対して画像形成を行う画像形成手段と、前記画像形成が行われた記録紙を排紙するための排紙トレイと、前記排紙トレイから前記記録紙を取り除くユーザの識別情報を取得する識別情報取得手段と、前記取得された識別情報に基づいてユーザを識別するユーザ識別手段と、前記出力指示を行ったユーザを示す出力ユーザ情報と前記ユーザ識別手段により識別されたユーザを示す取り除きユーザ情報とが一致するか否かを判断する判断手段と、前記判断手段により前記出力ユーザ情報と前記取り除きユーザ情報とが一致しないと判断された場合に、取り間違いが発生したことを警告する警告手段と、を備えたことを特徴とする画像形成装置である。
【０００７】
請求項２に記載の発明は、請求項１に記載の画像形成装置において、前記判断手段により前記出力ユーザ情報と前記取り除きユーザ情報とが一致しないと判断された場合に、前記出力指示を行ったユーザの端末に、前記取り除きユーザ情報を通知する通知手段を備えたことを特徴とする。
【０００８】
請求項３に記載の発明は、ユーザからの出力指示に基づいて、記録紙に対して画像形成を行う画像形成手段と、前記画像形成が行われた記録紙を排紙するための排紙トレイと、前記排紙トレイから前記記録紙を取り除くユーザの識別情報を取得する識別情報取得手段と、前記取得された識別情報に基づいてユーザを識別するユーザ識別手段と、予め複数のユーザ情報と所属グループ情報とが対応付けられて記憶されている記憶手段と、前記出力指示を行ったユーザを示す出力ユーザ情報と前記ユーザ識別手段により識別されたユーザを示す取り除きユーザ情報とが一致するか否かを判断する第１判断手段と、前記第１判断手段により前記出力ユーザ情報と前記取り除きユーザ情報とが一致しないと判断された場合に、前記記憶手段に記憶されているユーザ情報と所属グループ情報とを参照して、前記出力ユーザ情報に対応する所属グループ情報と前記取り除きユーザ情報に対応する所属グループ情報とが一致するか否かを判断する第２判断手段と、前記第２判断手段により前記出力ユーザ情報に対応する所属グループ情報と前記取り除きユーザ情報に対応する所属グループ情報とが一致しないと判断された場合に、取り間違いが発生したことを警告する警告手段と、を備えたことを特徴とする画像形成装置である。
【０００９】
請求項４に記載の発明は、請求項３に記載の画像形成装置において、前記第２判断手段により前記出力ユーザ情報に対応する所属グループ情報と前記取り除きユーザ情報に対応する所属グループ情報とが一致しないと判断された場合に、前記出力指示を行ったユーザの端末に、前記取り除きユーザ情報を通知する通知手段を備えたことを特徴とする。
【００１０】
請求項５に記載の発明は、請求項１〜４のいずれか一項に記載の画像形成装置において、前記識別情報取得手段は、前記排紙トレイから前記記録紙を取り除くユーザの識別情報として、当該ユーザの指紋情報を取得し、前記ユーザ識別手段は、前記取得された指紋情報に基づいてユーザを識別することを特徴とする。
【発明の効果】
【００１１】
請求項１に記載の発明によれば、出力指示を行ったユーザとは異なるユーザが記録紙を取り除いた場合に、取り間違いが発生したことを警告するので、記録紙の取り間違いを減らすことができる。
【００１２】
請求項２に記載の発明によれば、出力指示を行ったユーザに対して取り間違いをしたユーザを通知することにより、取り間違いによる記録紙の紛失を防止することができる。
【００１３】
請求項３に記載の発明によれば、出力指示を行ったユーザとは異なる所属グループのユーザが記録紙を取り除いた場合に、取り間違いが発生したことを警告するので、記録紙の取り間違いを減らすことができる。出力指示を行ったユーザと同じ所属グループのユーザが記録紙を取り除いた場合には、取り間違いとして扱わないので、効率良く排紙トレイを空けることができ、生産性を向上させることができる。
【００１４】
請求項４に記載の発明によれば、出力指示を行ったユーザに対して取り間違いをしたユーザを通知することにより、取り間違いによる記録紙の紛失を防止することができる。
【００１５】
請求項５に記載の発明によれば、ユーザを正確に識別することができる。
【発明を実施するための最良の形態】
【００１６】
［第１の実施の形態］
以下、図面を参照して、本発明を実施するための最良の形態を詳細に説明する。
図１は、本発明の第１の実施の形態における画像形成装置１００の機能的構成を示すブロック図である。画像形成装置１００は、ネットワークを介してユーザ端末２００と接続されている。画像形成装置１００は、ユーザ端末２００から受信した画像データに基づいて画像形成を行うプリンタ機能と、原稿を読み取って画像形成を行う複写機能と、を有する複合機である。
【００１７】
図１に示すように、画像形成装置１００は、プリント制御手段１、画像読取手段２、画像形成手段３、入力手段４、排紙トレイ判断手段５、記憶手段６、排紙トレイ７、識別情報取得手段８、ユーザ識別手段９、取り間違い判断手段１０、警告手段１１、表示手段１２、通知手段１３等を備える。
【００１８】
プリント制御手段１は、ユーザ端末２００から受信した画像データ、又は画像読取手段２により読み取られた画像データに基づいて、画像形成手段３を制御する。また、プリント制御手段１は、ユーザにより排紙先のトレイが指定されている場合には、指定されたトレイを示す指定トレイ情報を排紙トレイ判断手段５に出力する。
【００１９】
画像読取手段２は、原稿載置台に載置された原稿を画像データとして読み取る機能部である。具体的には、原稿載置台に載置された原稿をコンタクトガラスに搬送した後、光源から照射され原稿で反射した反射光を、ミラーユニットと、結像レンズとを介してＣＣＤ（Charge Coupled Device）イメージセンサに入射して画像データとして読み取る。
【００２０】
画像形成手段３は、プリント制御手段１の制御に従って、記録紙に対して画像形成を行い、排紙トレイ７に記録紙を排紙する。具体的には、画像形成手段３は、画像データに基づいて露光部から発せられるレーザビームにより感光ドラムを露光走査し、静電潜像を形成する。次いで、現像部によりトナーを感光ドラムに吸着させ、転写部においてトナーを記録紙に転写する。そして、定着部において記録紙にトナーを熱定着させることにより画像を形成する。
【００２１】
入力手段４は、数字キーやスタートキー、リセットキー等の各種キーを備える。また、入力手段４は、表示手段１２と一体的に形成され、ユーザの指先やタッチペン等により当接された位置を検出するタッチパネルを備えていてもよい。
【００２２】
排紙トレイ判断手段５は、ユーザにより排紙先のトレイが指定されている場合には、指定トレイ情報に基づいて排紙トレイ７を判断し、ユーザにより排紙先のトレイが指定されていない場合には、予め定められた判断基準により自動的に排紙トレイ７を判断する。そして、排紙トレイ判断手段５は、出力ユーザリスト領域６１に、出力指示を行ったユーザを示す出力ユーザ情報と、記録紙が排紙されるトレイを示す排紙トレイ情報と、を登録する。
【００２３】
記憶手段６は、磁気的記憶媒体、光学的記憶媒体又は半導体メモリ等で構成されており、各種データが記憶されている。記憶手段６は、出力ユーザリスト領域６１、取り間違いユーザリスト領域６２を有する。
【００２４】
出力ユーザリスト領域６１には、出力ユーザ情報と排紙トレイ情報とが対応付けられて記憶される。
【００２５】
取り間違いユーザリスト領域６２には、取り間違いをしたユーザを示すユーザ情報が記憶される。
【００２６】
排紙トレイ７は、トレイ毎にそれぞれ取り除きセンサ７１を備える。取り除きセンサ７１は、出力された記録紙が取り除かれた場合に、記録紙が取り除かれたことを示す取り除き情報と、記録紙が取り除かれたトレイを示す取り除きトレイ情報と、を取り間違い判断手段１０に出力する。
【００２７】
識別情報取得手段８は、排紙トレイ７から記録紙を取り除くユーザの識別情報として、ユーザの指紋情報を取得する。識別情報とは、複数のユーザを識別するために用いる各ユーザに固有の情報をいう。指紋情報を取得する方法については、静電容量方式、光学方式、感熱方式等が挙げられる。
【００２８】
ユーザ識別手段９は、識別情報取得手段８により取得された指紋情報に基づいて、ユーザを識別する。ユーザ識別手段９は、画像形成装置１００を使用する複数のユーザの指紋情報が予め登録されている指紋情報登録手段を備え、識別情報取得手段８により取得された指紋情報を、これら予め登録されている指紋情報と照合することにより、記録紙を取り除くユーザを識別する。
【００２９】
取り間違い判断手段１０は、出力ユーザリスト領域６１から出力ユーザ情報を取得し、ユーザ識別手段９から記録紙を取り除くユーザを示す取り除きユーザ情報を取得し、出力ユーザ情報と取り除きユーザ情報とが一致するか否かを判断する。取り間違い判断手段１０は、出力ユーザ情報と取り除きユーザ情報とが一致しない場合に、取り除きユーザ情報を取り間違いユーザリスト領域６２に登録する。
【００３０】
警告手段１１は、取り間違い判断手段１０により、出力ユーザ情報と取り除きユーザ情報とが一致しないと判断された場合に、取り間違いが発生したことを警告する警告メッセージを表示手段１２に表示させる。
【００３１】
表示手段１２は、ＬＣＤ（Liquid Crystal Display）等により構成され、各種画面を表示する。
【００３２】
通知手段１３は、取り間違い判断手段１０により、出力ユーザ情報と取り除きユーザ情報とが一致しないと判断された場合に、出力指示を行ったユーザのユーザ端末２００に、取り除きユーザ情報を含む注意メッセージを通知する。
【００３３】
なお、画像形成装置１００は、ＣＰＵ（Central Processing Unit）、ＲＯＭ（Read Only Memory）、ＲＡＭ（Random Access Memory）等を備えており、ＣＰＵは、ＲＯＭに格納されたプログラムを読み出し、ＲＡＭ内のワークエリアに展開し、上記プログラムとの協働によって各種処理を実行する。図１に示すプリント制御手段１、排紙トレイ判断手段５、取り間違い判断手段１０、警告手段１１、通知手段１３は、それぞれ、ＣＰＵとプログラムとの協働によってソフトウェア処理で実現される。
【００３４】
ユーザ端末２００は、ＰＣ（Personal Computer）やＰＤＡ（Personal Digital Assistants）等であり、ネットワークを介して画像形成装置１００と接続されている。ユーザ端末２００は、各ユーザが画像形成装置１００に出力指示を送信する際に使用される。
【００３５】
次に、画像形成装置１００の動作を説明する。
図２は、画像形成装置１００により実行される取り間違い判断処理Ａを示すフローチャートである。取り間違い判断処理Ａは、ユーザ端末２００からの出力指示に基づいて画像形成が行われ、記録紙が排紙トレイ７に排紙された後に実行される処理である。
【００３６】
まず、取り間違い判断手段１０により、取り除きセンサ７１から取り除きトレイ情報が取得され（ステップＳ１）、出力ユーザリスト領域６１から取り除きトレイ情報と一致する排紙トレイ情報に対応する出力ユーザ情報が取得される（ステップＳ２）。
【００３７】
次に、ユーザ識別手段９により、識別情報取得手段８において取得された指紋情報に基づいてユーザが識別され、取り間違い判断手段１０により、ユーザ識別手段９から取り除きユーザ情報が取得される（ステップＳ３）。そして、取り間違い判断手段１０により、出力ユーザ情報と取り除きユーザ情報とが一致するか否かが判断される（ステップＳ４）。
【００３８】
出力ユーザ情報と取り除きユーザ情報とが一致しない場合（ステップＳ４；Ｎｏ）、すなわち、出力指示を行ったユーザとは異なるユーザが記録紙を取り除いた場合には、取り間違い判断手段１０により、取り除きユーザ情報が取り間違いユーザリスト領域６２に登録される（ステップＳ５）。そして、警告手段１１により、取り間違いが発生したことを警告する警告メッセージが表示手段１２に表示される（ステップＳ６）。また、通知手段１３により、出力指示を行ったユーザのユーザ端末２００に、取り除きユーザ情報を含む注意メッセージが通知される（ステップＳ７）。
以上で、取り間違い判断処理Ａが終了する。
【００３９】
ステップＳ４において、出力ユーザ情報と取り除きユーザ情報とが一致する場合には（ステップＳ４；Ｙｅｓ）、そのまま取り間違い判断処理Ａが終了する。
【００４０】
以上説明したように、画像形成装置１００によれば、出力指示を行ったユーザとは異なるユーザが記録紙を取り除いた場合に、取り間違いが発生したことを警告するので、記録紙の取り間違いを減らすことができる。特に、機密文書等を出力する際に、セキュリティ面での信頼性を向上させることができる。また、出力指示を行ったユーザに対して取り間違いをしたユーザを通知することにより、取り間違いによる記録紙の紛失を防止することができる。
【００４１】
また、指紋情報に基づいて、排紙トレイ７から記録紙を取り除くユーザを識別するので、他人によるなりすましを防ぎ、ユーザを正確に識別することができる。
【００４２】
［第２の実施の形態］
次に、本発明を適用した第２の実施の形態について説明する。
図３は、本発明の第２の実施の形態における画像形成装置１０１の機能的構成を示すブロック図である。画像形成装置１０１において、第１の実施の形態に示した画像形成装置１００と同一の構成部分については同一の符号を付し、その構成については説明を省略する。以下、第２の実施の形態に特徴的な構成及び処理について説明する。
【００４３】
記憶手段６は、さらに、登録ユーザリスト領域６３を有する。登録ユーザリスト領域６３には、予め、画像形成装置１０１を使用する複数のユーザを示すユーザ情報と、各ユーザが所属するグループを示す所属グループ情報と、が対応付けられて記憶されている。登録ユーザリスト領域６３の登録は、入力手段４からデータを入力することにより行われる。
【００４４】
取り間違い判断手段１０は、出力ユーザリスト領域６１から出力ユーザ情報を取得し、ユーザ識別手段９から取り除きユーザ情報を取得し、出力ユーザ情報と取り除きユーザ情報とが一致するか否かを判断する。そして、出力ユーザ情報と取り除きユーザ情報とが一致しないと判断した場合には、登録ユーザリスト領域６３に記憶されているユーザ情報と所属グループ情報とを参照して、出力ユーザ情報に対応する所属グループ情報と取り除きユーザ情報に対応する所属グループ情報とが一致するか否かを判断する。取り間違い判断手段１０は、出力ユーザ情報に対応する所属グループ情報と取り除きユーザ情報に対応する所属グループ情報とが一致しない場合に、取り除きユーザ情報を取り間違いユーザリスト領域６２に登録する。すなわち、第２の実施の形態では、同じ所属グループのユーザが記録紙を取り除いた場合には、取り間違いとして扱わないこととする。
【００４５】
警告手段１１は、取り間違い判断手段１０により、出力ユーザ情報に対応する所属グループ情報と取り除きユーザ情報に対応する所属グループ情報とが一致しないと判断された場合に、取り間違いが発生したことを警告する警告メッセージを表示手段１２に表示させる。
【００４６】
通知手段１３は、取り間違い判断手段１０により、出力ユーザ情報に対応する所属グループ情報と取り除きユーザ情報に対応する所属グループ情報とが一致しないと判断された場合に、出力指示を行ったユーザのユーザ端末２００に、取り除きユーザ情報を含む注意メッセージを通知する。
【００４７】
次に、画像形成装置１０１の動作を説明する。
図４は、画像形成装置１０１により実行される取り間違い判断処理Ｂを示すフローチャートである。取り間違い判断処理Ｂは、ユーザ端末２００からの出力指示に基づいて画像形成が行われ、記録紙が排紙トレイ７に排紙された後に実行される処理である。
【００４８】
まず、取り間違い判断手段１０により、取り除きセンサ７１から取り除きトレイ情報が取得され（ステップＳ１１）、出力ユーザリスト領域６１から取り除きトレイ情報と一致する排紙トレイ情報に対応する出力ユーザ情報が取得される（ステップＳ１２）。
【００４９】
次に、ユーザ識別手段９により、識別情報取得手段８において取得された指紋情報に基づいてユーザが識別され、取り間違い判断手段１０により、ユーザ識別手段９から取り除きユーザ情報が取得される（ステップＳ１３）。そして、取り間違い判断手段１０により、出力ユーザ情報と取り除きユーザ情報とが一致するか否かが判断される（ステップＳ１４）。
【００５０】
出力ユーザ情報と取り除きユーザ情報とが一致しない場合には（ステップＳ１４；Ｎｏ）、取り間違い判断手段１０により、登録ユーザリスト領域６３に記憶されているユーザ情報と所属グループ情報とが参照され、出力ユーザ情報に対応する所属グループ情報と取り除きユーザ情報に対応する所属グループ情報とが取得される（ステップＳ１５，Ｓ１６）。そして、出力ユーザ情報に対応する所属グループ情報と取り除きユーザ情報に対応する所属グループ情報とが一致するか否かが判断される（ステップＳ１７）。
【００５１】
出力ユーザ情報に対応する所属グループ情報と取り除きユーザ情報に対応する所属グループ情報とが一致しない場合（ステップＳ１７；Ｎｏ）、すなわち、出力指示を行ったユーザとは異なる所属グループのユーザが記録紙を取り除いた場合には、取り間違い判断手段１０により、取り除きユーザ情報が取り間違いユーザリスト領域６２に登録される（ステップＳ１８）。そして、警告手段１１により、取り間違いが発生したことを警告する警告メッセージが表示手段１２に表示される（ステップＳ１９）。また、通知手段１３により、出力指示を行ったユーザのユーザ端末２００に、取り除きユーザ情報を含む注意メッセージが通知される（ステップＳ２０）。
以上で、取り間違い判断処理Ｂが終了する。
【００５２】
ステップＳ１４において、出力ユーザ情報と取り除きユーザ情報とが一致する場合（ステップＳ１４；Ｙｅｓ）、又は、ステップＳ１７において、出力ユーザ情報に対応する所属グループ情報と取り除きユーザ情報に対応する所属グループ情報とが一致する場合には（ステップＳ１７；Ｙｅｓ）、そのまま取り間違い判断処理Ｂが終了する。
【００５３】
以上説明したように、画像形成装置１０１によれば、出力指示を行ったユーザとは異なる所属グループのユーザが記録紙を取り除いた場合に、取り間違いが発生したことを警告するので、記録紙の取り間違いを減らすことができる。出力指示を行ったユーザと同じ所属グループのユーザが記録紙を取り除いた場合には、取り間違いとして扱わないので、効率良く排紙トレイ７を空けることができ、生産性を向上させることができる。また、出力指示を行ったユーザに対して取り間違いをしたユーザを通知することにより、取り間違いによる記録紙の紛失を防止することができる。
【００５４】
なお、上記各実施の形態における記述は、本発明に係る画像形成装置の例であり、これに限定されるものではない。画像形成装置を構成する各部の細部構成及び細部動作に関しても本発明の趣旨を逸脱することのない範囲で適宜変更可能である。
【００５５】
例えば、上記各実施の形態では、ユーザを識別するための識別情報として、指紋情報を用いた場合について説明したが、ユーザＩＤやパスワードを入力手段４から入力することにより、ユーザを識別することとしてもよい。また、ユーザが所持するＩＣカードのＩＣチップに予め識別情報を記憶させておき、このＩＣカードから識別情報を取得することにより、ユーザを識別することとしてもよい。また、音声・声紋情報、網膜情報、顔パターン情報等に基づいて、ユーザを識別することとしてもよい。
【００５６】
また、上記各実施の形態では、警告メッセージを表示手段１２に表示することにより取り間違いが発生したことを警告することとしたが、音声ガイダンスにより警告することとしてもよい。また、排紙トレイ７の各トレイにそれぞれ警告灯を設置し、取り間違いが発生したトレイの警告灯を点灯又は点滅させることとしてもよい。また、丸秘スタンプ、極秘スタンプ等を付した記録紙を出力する場合のみを対象として、記録紙の取り間違いが発生したことを警告することとしてもよい。
【図面の簡単な説明】
【００５７】
【図１】本発明の第１の実施の形態における画像形成装置１００の機能的構成を示すブロック図である。
【図２】画像形成装置１００により実行される取り間違い判断処理Ａを示すフローチャートである。
【図３】本発明の第２の実施の形態における画像形成装置１０１の機能的構成を示すブロック図である。
【図４】画像形成装置１０１により実行される取り間違い判断処理Ｂを示すフローチャートである。
【符号の説明】
【００５８】
１００，１０１  画像形成装置
１  プリント制御手段
２  画像読取手段
３  画像形成手段
４  入力手段
５  排紙トレイ判断手段
６  記憶手段
６１  出力ユーザリスト領域
６２  取り間違いユーザリスト領域
６３  登録ユーザリスト領域
７  排紙トレイ
７１  取り除きセンサ
８  識別情報取得手段
９  ユーザ識別手段
１０  取り間違い判断手段（判断手段、第１判断手段、第２判断手段）
１１  警告手段
１２  表示手段
１３  通知手段
２００  ユーザ端末
【図１】
2007168098.tif 000003
【図２】
2007168098.tif 000004
【図３】
2007168098.tif 000005
【図４】
2007168098.tif 000006